(57)【要約】【課題】再封止可能なチャック機構を開放して形成した上端開口の開口形状を、相当の大きさに保持することのできるリシール袋を提供する。【解決手段】シート材料からなる前後一対の正面部１３ａ，１３ｂを備え、これらの正面部１３ａ，１３ｂの上辺１４ａ，１４ｂに沿って設けられたチャック機構１１により再封止可能なリシール袋１０であって、前後一対の正面部１３ａ，１３ｂの各内側面には、チャック機構１１の延設方向に並んで配置された着脱可能な係着部１５ａ及び被係着部１５ｂからなる開口保持機構１５が各々設けられている。チャック機構１１を開放して上端開口１２を形成した際に、開口保持機構１５の係着部１５ａと被係着部１５ｂとの間の部分で各正面部１３ａ，１３ｂの内側面を外側に谷折りし、係着部１５ａを被係着部１５ｂに係着させることで折曲り角部１６を形成して、上端開口１２を相当の大きさの開口形状となるように保持する。【選択図】図１
2011020715.tif 000002
【特許請求の範囲】
【請求項１】
シート材料からなる前後一対の正面部を備え、これらの正面部の上辺部に沿って内側に設けられたチャック機構により再封止可能となっているチャック付き袋であって、
前記前後一対の正面部の少なくとも一方の内側面には、前記チャック機構に近接して、着脱可能な係着部及び被係着部からなる開口保持機構が設けられており、
前記チャック機構を開放して上端開口を形成した際に、前記係着部を前記被係着部に係着させることで折曲り角部を形成して、前記上端開口の開口状態を保持させるチャック付き袋。
【請求項２】
前記開口保持機構の係着部及び被係着部は並んで配置されており、前記チャック機構を開放して上端開口を形成した際に、前記開口保持機構の前記係着部と前記被係着部との間の部分で正面部の内側面を谷折りし、前記係着部を前記被係着部に係着させることで前記折曲り角部を形成する請求項１記載のチャック付き袋。
【請求項３】
前記開口保持機構が、前記正面部の幅方向の中央部分に配置されて設けられている請求項１又は２記載のチャック付き袋。
【請求項４】
前記開口保持機構が、凸状の雄形嵌合部による係着部と凹状の雌形嵌合部による被係着部とからなる係着構造を備えている請求項１〜３のいずれかに記載のチャック付き袋。
【請求項５】
前記上辺部を上方に配置した状態で自立可能な構成を備えている請求項１〜４のいずれかに記載のチャック付き袋。
【請求項６】
内容物として粉粒物が収容される請求項１〜５のいずれかに記載のチャック付き袋。
【発明の詳細な説明】
【技術分野】
【０００１】
本発明は、チャック付き袋に関し、特に、シート材料からなる前後一対の正面部を備え、これらの一端に設けられたチャック機構により再封止可能となっているチャック付き袋に関する。
【背景技術】
【０００２】
シート材料からなる前後一対の正面部を備える袋として、ピロー袋やガセット袋等が知られている。これらの袋は、例えばプラスチック製の積層フィルムをシート材料として使用して、予め設計された所定の形状に裁断された一枚又は複数枚のシート材料（フィルム材料）に、公知の各種の折曲げ加工や切断加工を施すことにより、内容物を収容するための袋容器として形成される。
【０００３】
シート材料からなる袋は、内容物として液体状のものや、粉状や粒状、その他の固形物など広範囲で使用でき、また簡易に且つ安価に収容できることから、その用途が拡大している。そして、例えば内容物を封入した状態から、上端取出し口を開封して内容物を取り出した後に、上端取出し口を再封止できるようにして、内容物を保管しながら繰り返し取り出すことができるようにした袋や、上端取出し口を上方に配置した状態で自立可能に構成した袋も開発されている（例えば、特許文献１、特許文献２参照）。
【先行技術文献】
【特許文献】
【０００４】
【特許文献１】特開２００５−１０４５６１号公報
【特許文献２】特開２００５−２３１６７７号公報
【発明の概要】
【発明が解決しようとする課題】
【０００５】
シート材料からなる前後一対の正面部を備えるピロー袋やガセット袋等の袋を再封止可能に形成した場合、開封された上端取出し口から内容物を取り出す際に、上端取出し口の開口形状を大きく保持しておくことが困難になり易い。このため、例えば前後一対の正面部と、これらの正面部の内側にＶ字状に折込み可能な左右一対の側面折込み部とを備える特許文献１のガセット袋では、側面折込み部に、折込み中心線を挟んだ両側の部分を山折り状に外側に折り返して互いに接合することで帯ひれ状縦リブを中央部分に設けることにより、上端取出し口の開口形状を大きく保持できるようにする工夫がなされている。
【０００６】
一方、特許文献２のチャックテープ付き袋のように、前後一対の正面部が、上辺部に沿って内側に設けられたチャック機構により再封止可能となっている袋では、チャック機構を取り付けた上部に側面折込み部を設けることができないことから、上端取出し口の開口形状を大きく保持しておくことが難しい。
【０００７】
本発明は、再封止可能なチャック機構を開放して形成した上端開口の開口形状を、相当の大きさに容易に保持しておくことのできるチャック付き袋を提供することを目的とする。
【課題を解決するための手段】
【０００８】
本発明は、シート材料からなる前後一対の正面部を備え、これらの正面部の上辺部に沿って内側に設けられたチャック機構により再封止可能となっているチャック付き袋であって、前記前後一対の正面部の少なくとも一方の内側面には、前記チャック機構に近接して、着脱可能な係着部及び被係着部からなる開口保持機構が設けられており、前記チャック機構を開放して上端開口を形成した際に、前記係着部を前記被係着部に係着させることで折曲り角部を形成して、前記上端開口の開口状態を保持させるチャック付き袋を提供することにより、上記目的を達成したものである。
【発明の効果】
【０００９】
本発明のチャック付き袋によれば、再封止可能なチャック機構を開放して形成した上端開口の開口形状を、相当の大きさに容易に保持しておくことができる。
【図面の簡単な説明】
【００１０】
【図１】本発明の好ましい一実施形態に係るチャック付き袋の、チャック機構を開放して上端開口を形成した状態の斜視図である。
【図２】本発明の好ましい一実施形態に係るチャック付き袋の、開封する前の状態の斜視図である。
【図３】本発明の好ましい一実施形態に係るチャック付き袋の、開封する途中の状態の斜視図である。
【図４】（ａ）〜（ｃ）は、開口保持機構の係着部を被係着部に係着させることで折曲り角部を形成する状態を説明する、図３のＡ−Ａに沿った断面図である。
【図５】（ａ），（ｂ）は、開口保持機構の他の形態を例示する断面図である。
【図６】（ａ）は、図５（ａ）の開口保持機構をＢ方向から視た正面図、（ｂ）は係着部を被係着部に係着させた状態を説明する斜視図である。
【発明を実施するための形態】
【００１１】
図１〜図３に示す本発明の好ましい一実施形態に係るチャック付き袋１０は、内容物として、例えば粉粒状の洗剤を収容した袋である。内容物を封入して製品化された状態から（図２参照）、チャック機構１１よりも上方の破断領域２０を横断方向に切断すると共に（図３参照）、再封止可能なチャック機構１１を開放することで上端開口１２を上端取り出し口として形成して、内容物である粉粒状の洗剤を取り出すことができる。また、内容物を所定量取り出した後、チャック機構１１をリシールすることにより袋１０を再封止した状態で、内容物を保管することができる。このようなチャック機構１１の開放とリシール（再封止）とを繰り返しながら、内容物を所定量ずつ取り出して長期間に亘って使用することができる。そして、本実施形態のチャック付き袋１０は、チャック機構１１を開放して上端開口１２を形成した際に、上端開口１２を相当な大きさの開口形状に保持する機能を備えている（図１参照）。
【００１２】
すなわち、本実施形態のチャック付き袋１０は、シート材料からなる前後一対の正面部１３ａ，１３ｂを備え、これらの正面部１３ａ，１３ｂの上辺部１４ａ，１４ｂに沿って内側に設けられたチャック機構１１により再封止可能となっている袋である。前後一対の正面部１３ａ，１３ｂの各内側面には、チャック機構１１に近接して、着脱可能な係着部１５ａ及び被係着部１５ｂからなる開口保持機構１５が各々設けられており、チャック機構１１を開放して上端開口１２を形成した際に、図４（ａ）〜（ｃ）に示すように、開口保持機構１５の係着部１５ａと被係着部１５ｂとの間の部分で各正面部１３ａ，１３ｂの内側面を外側に谷折りし、係着部１５ａを被係着部１５ｂに係着させることで折曲り角部１６を形成して、上端開口１２の開口形状を略４角形の相当の大きさに保持させるようになっている。なお、図１に示す実施形態は、前後一対の正面部１３ａ，１３ｂの両方に開口保持機構１５が形成されているが、いずれか一方であってもよい。
【００１３】
本実施形態では、図２及び図３に示すように、開口保持機構１５の係着部１５ａ及び被係着部１５ｂは、チャック機構１１の延設方向に並んで配置されている。また本実施形態では、各正面部１３ａ，１３ｂの各々の内側面に開口保持機構１５が形成されているが、何れか一方の正面部に形成されていても良い。
【００１４】
また、本実施形態では、リシール袋１０は、上端開口１２とは反対側の下部において、底面シート材料が前後一対の正面部１３ａ，１３ｂの間に折り込まれて、底面部１７を形成することにより、上辺部１４ａ，１４ｂを上方に配置した状態で自立可能な構成を備えている。
【００１５】
本実施形態では、リシール袋１０は、例えば前側正面シート材料１８ａと、後側正面シート材料１８ｂと、底面シート材料とによって構成される。すなわち、矩形形状に裁断された前側正面シート材料１８ａ及び後側正面シート材料１８ｂの上縁部と両側の側縁部とを、上縁シール部１９ａ及び側縁シール部１９ｂとして互いに融着接合すると共に、底面シート材料の周縁部と前側正面シート材料１８ａ及び後側正面シート材料１８ｂの下縁部分とを、底部シール部１９ｃとして互いに融着接合することにより、内部に粉粒状の洗剤を封入したリシール袋１０が形成されることになる。また、前側正面部１３ａ、後側正面部１３ｂ、および底面部１７は、１枚のシートで折り込み・シールすることよって構成することもできる。
【００１６】
上縁シール部１９ａは、袋１０の内部に内容物を収容した後に融着接合される。また、底面シート材料は、袋１０の内部に内容物が収容されることにより、その重量によって、前側正面シート材料１８ａ及び後側正面シート材料１８ｂの下端部分の間隔を両側に押し広げつつ載置面に接触載置されることにより、チャック付き袋１０を安定した自立袋として機能させることになる。
【００１７】
ここで、前側正面シート材料１８ａや後側正面シート材料１８ｂや底面シート材料を得るためのシート材料としては、例えばプラスチックを主体とする積層フィルムを用いることでき、好ましくは最内層にシーラント層が積層された公知の各種の積層フィルムを用いることできる。アルミ箔層を含む積層フィルムを用いることもできる。
【００１８】
また、本実施形態では、リシール袋１０の前後一対の正面部１３ａ，１３ｂの上端部分の内側面には、これら内側面の間に挟まれて、チャック機構１１が、両側の側縁シール部１９ｂの間を股がるようにして横断方向に連続配置された状態で取り付けられている。本実施形態では、チャック機構１１として、例えば特開２００５−２３１６７７号公報に記載のチャックテープとして知られる、公知の各種のチャック機構１１を用いることができる。特開２００５−２３１６７７号公報に記載のチャックテープは、互いに嵌合可能な、凸条の雄型嵌合部を設けた合成樹脂からなる雄型テープ体と、凹条の雌型嵌合部を設けた合成樹脂からなる雌型テープ体とで構成され、前後一対の正面部の各内側面に、雄型テープ体や雌型テープ体を各々接着接合して用いられるものである。
【００１９】
さらに、本実施形態では、前後一対の正面部１３ａ，１３ｂの上端部分の、チャック機構１１と上縁シール部１９ａとの間の部分が、リシール袋１０の開封時に上端開口１２を形成するためにその一部が切り取られる破断領域２０となっている。すなわち、本実施形態では、例えば当該破断領域２０における、前後一対の正面部１３ａ，１３ｂを構成する前側正面シート材料１８ａ及び後側正面シート材料１８ｂを、横方向への易引裂き性を備える一軸延伸フィルムを含めた積層フィルムで形成すると共に、両側の側縁シール部１９ｂの所定の位置に引裂き開始用のノッチ２１を設けておき、両側のノッチ２１の間で破断領域２０を切断して、チャック機構１１を開放した際に内容物を取出し可能な上端取出し口としての上端開口１２を形成するようになっている。
【００２０】
そして、本実施形態では、前後一対の正面部１３ａ，１３ｂの上辺部１４ａ，１４ｂに沿って内側に設けられたチャック機構１１の上方に近接する位置に、開口保持機構１５が取り付けられている。開口保持機構１５は、図４（ａ）〜（ｃ）に示すように、チャック機構１１を構成する凸条の雄型嵌合部を有する雄型テープ体及び凹条の雌型嵌合部を有する雌型テープ体と類似する横断面形状を備える、凸状の雄形嵌合部２２ａによる係着部１５ａと凹状の雌形嵌合部２２ｂによる被係着部１５ｂとからなる係着構造となっている。
【００２１】
ここで、開口保持機構１５を構成する係着部１５ａ及び被係着部１５ｂは、合成樹脂からなる短尺の駒状部材であり、平坦な基盤部２３ａ，２３ｂを接着接合することにより、前後一対の正面部１３ａ，１３ｂの各々の内側面に、チャック機構１１の延設方向に例えば５〜５０ｍｍ程度の間隔をおいて、対になった状態で並ベて固着される。また、本実施形態では、開口保持機構１５は、好ましくは前後一対の正面部１３ａ，１３ｂの幅方向の中央部分に配置されて各々設けられており（図２参照）、係着部１５ａ及び被係着部１５ｂは、凸状の雄形嵌合部２２ａや凹状の雌形嵌合部２２ｂを、チャック機構１１の延設方向と垂直な縦方向に延設配置した状態で取り付けられている。
【００２２】
これによって、チャック機構１１を開放して上端開口１２を形成した際に、前後一対の各正面部１３ａ，１３ｂにおいて、図４（ａ）〜（ｃ）に示すように、開口保持機構１５の係着部１５ａと被係着部１５ｂとの間の部分で、各正面部１３ａ，１３ｂの内側面を外側に谷折りし、係着部１５ａを被係着部１５ｂに係着させることで折曲り角部１６を形成して、図１に示すように、上端開口１２の開口形状を略４角形の相当の大きさに保持させることができるようになっている。
【００２３】
したがって、本実施形態のリシール袋１０によれば、再封止可能なチャック機構１１を開放して形成された上端開口１２の開口形状を、開口保持機構１５の係着部１５ａを被係着部１５ｂに係着して折曲り角部１６を形成することによって、相当の大きさに容易に保持しておくことが可能になる。また、リシール袋１０から内容物を取り出した後、係着部１５ａと被係着部１５ｂとの係着状態を開放して両正面部１３ａ，１３ｂをシート状態に戻すことで、チャック機構１１を再封止することができる。
【００２４】
図５（ａ），（ｂ）は、開口保持機構１５の他の形態を例示する断面図である。図５（ａ），（ｂ）に示す開口保持機構１５もまた、合成樹脂製の短尺の駒状部材であり、中央基板部３０と、中央基板部３０の両側に薄肉折曲り部３４を介して各々連設された一対の張出し板部３１とからなる。各張出し板部３１には、薄肉折曲り部３４に近接する縦方向中央部分に、図６（ａ），（ｂ）にも示すように、被係着部１５ｂとして矩形形状の係止開口３３が一対貫通形成されている。一方、中央基板部３０の縦方向中央部分の係止開口３３と対応する位置には、薄肉折曲り部３４に近接する位置から各々斜め外側に張り出して、先細りの断面形状を有する張出し係止片３２が係着部１５ａとして一対設けられている。
【００２５】
また、図５（ａ），（ｂ）に示す開口保持機構１５は、袋１０の正面部１３ａ，１３ｂのチャック機構１１と近接する内側面に中央基板部３０及び張出し板部３１を接着接合することにより、薄肉折曲り部３４をチャック機構１１の延設方向と垂直な縦方向に延設配置した状態で、正面部１３ａ，１３ｂに固着される。
【００２６】
そして、図５（ａ），（ｂ）に示す開口保持機構１５は、チャック機構１１を開放して袋１０に上端開口１２を形成した際に、一対の張出し板部３１を中央基板部３０に対して薄肉折曲り部３４で折り曲げることにより、正面部１３ａ，１３ｂの内側面を外側にコの字形状に谷折りしつつ（図５（ｂ）参照）、一対の張出し係止片３２を、弾性変形させながら一対の係止開口３３に各々係止する（図５（ｂ）、図６（ｂ）参照）。これによって、袋１０の上端開口１２には、コの字形状に折れ曲った折曲り角部１６が形成されるので、図４（ａ）〜（ｃ）に示す開口保持機構１５を用いた場合と同様に、図１に示すように、上端開口１２の開口形状を略４角形の相当の大きさに保持させることが可能になる。
【００２７】
なお、本発明は上記各実施形態に限定されることなく種々の変更が可能である。例えば、係着部と被係着部とからなる開口保持機構は、チャック機構に近接してこれの下方に設けることもでき、正面部の幅方向の中央部分から片寄った適宜の位置に取り付けることもできる。また、係着部及び被係着部からなる開口保持機構は、凸状の雄形嵌合部と凹状の雌形嵌合部とからなる係着構造によるものである必要は必ずしも無く、例えばメカニカルファスナー、樹脂成型嵌合部材等の、その他の種々の係着構造によるものであっても良い。
【００２８】
さらに、本発明のリシール袋は、ピロー袋である必要は必ずしもなく、シート材料からなる前後一対の正面部を備え、チャック機構により再封止可能なその他の種々の袋であっても良い。リシール袋は自立性を備えていなくても良い。さらに、内容物として粉粒状の洗剤以外の、その他の粉粒状や液体を収容することもでき、上端開口を投入口や取り入れ口として用いて、収容物を収容するための包装袋や廃棄袋等として用いることもできる。
【符号の説明】
【００２９】
１０  リシール袋
１１  チャック機構
１２  上端開口
１３ａ，１３ｂ  正面部
１４ａ，１４ｂ  正面部の上辺
１５  開口保持機構
１５ａ  係着部
１５ｂ  被係着部
１６  折曲り角部
１７  底面部
１８ａ  前側正面シート材料
１８ｂ  後側正面シート材料
１９ａ  上縁シール部
１９ｂ  側縁シール部
１９ｃ  底部シール部
２０  破断領域
２１  ノッチ
２２ａ  雄形嵌合部
２２ｂ  雌形嵌合部
２３ａ，２３ｂ  基盤部
【図１】
2011020715.tif 000003
【図２】
2011020715.tif 000004
【図３】
2011020715.tif 000005
【図４】
2011020715.tif 000006
【図５】
2011020715.tif 000007
【図６】
2011020715.tif 000008